(57)【要約】【課題】足裏、靴内の状況に応じて合わせられる中敷き（靴用中物）を得ることを目的とする。【解決手段】靴用中物１は３層構造であり、靴底側となる１層目は、第１のつま先部材６と、第１の土踏まず部材５と、第１の踵部材３とで構成されている。  また、２層目は、第１のつま先部材６より短い第２の土踏み部材８と、第１の土踏まず部５より、長い第２のつま先部材１０と、第１の踵部材３より短い第２の踵部材１２で構成されている。足に接する面側の第３層目は、一枚の中敷き１４となっている。【選択図】図１
2008132166.tif 000002
【特許請求の範囲】
【請求項１】
靴底の形状に合わせられた形状で、かつ素材が弾性部材からなる中敷きを多層に組み合わせて熱圧着で一体化された靴用中物であって、
前記多層の中敷きは、靴底側となる下層は前記靴底の形状に合わせた弾性部材で形成され、
前記下層の中敷きより上層の各層の中敷きは、
それぞれが、所定の数の部材片に分割されて、それぞれ下層の中敷きに剥離可能にそれぞれ熱圧着されていることを特徴とする靴用中物。
【請求項２】
前記下層の中敷きより上の各層の中敷きの前記部材片は、それぞれが異なる大きさにされていることを特徴とする請求項一記載の靴用中物。
【請求項３】
前記多層は、３層構造であり、
上層が足裏面側であり、該上層の中敷きは、第１のつま先部材と第１の土踏まず部材と第１の踵部材とで分割されて下の中層の中敷きに熱圧着され、
前記中層の中敷きは、前記第１のつま先部材より長さが小さくされた第２のつま先部材と前記第１の土踏まず部材より長い第２の土踏まず部材と前記第１の踵部材より長さが小さい第２の踵部材とで構成されて前記下層の中敷きに熱圧着されていることを特徴とする請求項１又は２記載の靴用中物。
【請求項４】
前記上層の中敷きの足裏に接する面側には布地が貼り付けられていることを特徴とする請求項１、２又は３記載の靴用中物。
【発明の詳細な説明】
【技術分野】
【０００１】
本発明は、靴の底に装着する例えば、中敷きやパット等の靴用の中物に関する。
【背景技術】
【０００２】
従来、靴用の中敷は弾性部材としてスポンジを用いる場合もある。この中敷きは表面が布地や合成被革等の表面材が接着されている。
【０００３】
例えば、特開２００１−３１４２０５号は厚さが２ｍｍ〜７ｍｍであり、大きすぎる靴に入れても、まだ余裕があり、最適でなかった。また、さらに１枚入れて調整すると、今度は部分的にきつくなったり、サイズ調整ができなかった。
【特許文献１】特開２００１−３１４２０５号
【発明の開示】
【発明が解決しようとする課題】
【０００４】
靴を購入する条件としてデザインを重視することも少なくない。このため、足と靴との最適なサイズを無視する事となり、足にとって大きめのサイズを履く事となる。このように大きめの靴を履くと、つま先部分に余裕を感じたり、土踏まず部に余裕を感じたりと様々である。
【０００５】
このため、大きめの靴は足が靴の中でぴったりと収まらないためにいろいろなトラブルを引き起こしていた。
【０００６】
例えば、つま先部分に余裕がある靴は、歩行時は足が前に滑ってしまい、指にタコができたりする。
【０００７】
さらに、土踏まず部分に余裕がある靴は、足裏にかかる重圧が分散されずに足裏にタコができたりして、足が疲れる。
【０００８】
本発明は以上の事情を鑑みてなされたもので、足裏、靴内の状況にとらわれずに、最適に合わせられる中敷き（靴用中物）を得ることを目的とする。
【課題を解決するための手段】
【０００９】
本発明の靴用中物は、靴底の形状に合わせられた形状で、かつ素材が弾性部材からなる中敷きを多層に組み合わせて熱圧着で一体化された靴用中物である。
【００１０】
前記多層の中敷きは、靴底側となる下層は前記靴底の形状に合わせた弾性部材で形成され、
前記下層の中敷きより上層の各層の中敷きは、
それぞれが、所定の数の部材片に分割されて、それぞれ下層の中敷きに剥離可能にそれぞれ熱圧着されていることを要旨とする。
【００１１】
また、下層の中敷きより上の各層の中敷きの前記部材片は、それぞれが異なる大きさにされていることを要旨とする。
【００１２】
また、多層は、３層構造であり、
上層が足裏面側であり、該上層の中敷きは、第１のつま先部材と第１の土踏まず部材と第１の踵部材とで分割されて下の中層の中敷きに熱圧着され、
前記中層の中敷きは、前記第１のつま先部材より長さが小さくされた第２のつま先部材と前記第１の土踏まず部材より長い第２の土踏まず部材と前記第１の踵部材より長さが小さい第２の踵部材とで構成されて前記下層の中敷きに熱圧着されていることを要旨とする。
【００１３】
さらに、前記上層の中敷きの足裏に接する面側には布地が貼り付けられていることを要旨とする。
【発明の効果】
【００１４】
以上のように本発明によれば、足にとっていかなる大きめな靴でも最適にサイズを調整することができるので、足の疲れや、タコができるといったトラブルを防止できる。
【発明を実施するための最良の形態】
【００１５】
図１は本実施の形態の靴用中物１の斜視図である。図２は図１の靴用中物１を各層毎に分解したときの斜視図である。本実施の形態では靴底側を上にして説明する。
【００１６】
図１に示すように本実施の形態の靴用の中物は、多層構造であり、各層は３つに分けられてそれぞれが熱圧着されて、各層（足裏側の下層を除く）は後述する３つの片に分けられて剥離可能に下層に圧着されている。
【００１７】
図１に示すように、靴用の中物１（以下靴用中物１という）は３層構造にされている。本実施の形態では、靴底側を１層目、足裏側を３層目として説明する。
【００１８】
靴底側となる１層目は、第１のつま先部材６と、第１の土踏まず部材５と、第１の踵部材３とで構成されている。
【００１９】
また、２層目は、第１のつま先部材６より短い第２のつま先部材８と、第１の土踏まず部５より、長い第２のつま先部１０と、第１の踵部３より短い第２の踵部１２で構成されている。足裏側の第３層目は、一枚の中敷き１４となっている。
【００２０】
これらは、ウレタン等のスポンジであり、熱圧着で重ね合わせられて一体化されており、各部材が剥離可能となっている。そして、第３層目の足裏に接する面には滑り難くするための布１６が貼り付けられている。
【００２１】
また、１層目の第１のつま先部６のつま先側には、靴のサイズに合わせたライン１８、ライン１９、ライン２０が設けられ、靴の大きさに応じてユーザが挟みで切ることができるようにされている。また、第２層は他の層と異なる色にされている。
【００２２】
つまり、本実施の形態の靴用中物１は、１層目、２層目が３片に分離できるようにしているので、いかなる大きめな靴でもはく人の足のフィット感に合わせることができる。
【００２３】
図３は１層目の第１のつま先部材６を取ったときの斜視図である。図３に示すように、第１のつま先部材６のみを取ったときは、靴底側の１層目の第１の土踏まず部材５と第１の踵部材３のみが残る。このため、靴底が傾斜していた靴に図３の形の中物を入れたときは、土踏まずの当たりから盛り上がることになる。
【００２４】
図４は１層目の踵部材３と靴底側の１層目の第１のつま先部材６と２層目の第２のつま先部材８と第１の踵部材３とを取り除いたときの斜視図である。図４に示すように、土踏まず部分が盛り上がるので、はきては足が疲れない。
【００２５】
図５は１層目の第１のつま先部材６と第１の土踏まず部材５と２層目の第２のつま先部材８とを取り除いたときの斜視図である。
【００２６】
このようにすると、踵部が一番高く、次に土踏まず部が高く、つま先部がもっとも低い形になる。このため、靴底が真っ平らであっても本実施の形態の中物によって傾斜を付けることができる。
【００２７】
すなわち、本願発明の靴用中物は、多層構造としているのでいかなる大きめな靴でも最適にサイズ調整ができ、足のトラブル防止に効果的である。
【００２８】
なお、１層目、２層目の各品は波型の切り込みとしているが、直線的な切り込みであってもよい。
【００２９】
また、本実施の形態では三層構造としているが４層、５層であってもかまわない。さらに、各層の部材を３つに分けて説明したが、４つ、５つ、６つに分けてもかまわない。例えばつま先部分或いは土踏まず部分を２つに分けてもよいし、踵部を２つに分けてもよい。
【図面の簡単な説明】
【００３０】
【図１】図１は本実施の形態の靴用中物１の斜視図である。図２は図１の靴用中物１を各層毎に分解したときの斜視図である。
【図２】図１の靴用中物１を各層毎に分解したときの斜視図である。
【図３】１層目の第１のつま先部材６を取ったときの斜視図である。
【図４】１層目の踵部材３と１層目の第１のつま先部材６と２層目の第２のつま先部材８とを取り除いたときの斜視図である。
【図５】１層目の第１のつま先部材６と第１の土踏まず部材５と２層目の第２のつま先部材８とを取り除いたときの斜視図である。
【符号の説明】
【００３１】
１  靴用中物
６  １のつま先部材
５  第１の土踏まず部材
３  第１の踵部材
８  第２のつま先部材
１０  第２の土踏まず部
１２  第２の踵部
【図１】
2008132166.tif 000003
【図２】
2008132166.tif 000004
【図３】
2008132166.tif 000005
【図４】
2008132166.tif 000006
【図５】
2008132166.tif 000007